(57)【要約】【課題】  平面的な印刷でありながらポジフィルム的な奥行き感のある優れた写真印刷物を提供する。【解決手段】  半透明のシート１の両面に同一の写真２１，２２が同一の大きさでデジタル印刷機により印刷された写真印刷物である。両面の写真２１，２２は、透視した際に完全に重なる向きに印刷されている。シート１の印刷前の不透明度は６０％以上７０％以下であり、両面の写真２１，２２の印刷位置のずれは１００μｍ以下である。写真印刷物は、透明な板に貼り付けた状態で展示されたり、内部に照明器具を備えたボックスの前面に装着されたりして展示される。【選択図】  図１
2020075473.tif 000002
【特許請求の範囲】
【請求項１】
半透明のシートの両面に同一の写真を同一の大きさでデジタル印刷機により印刷した写真印刷物であって、
両面の写真は、透視した際に完全に重なる向きに印刷されていることを特徴とする写真印刷物。
【請求項２】
前記シートの印刷前の不透明度は、６０％以上７０％以下であることを特徴とする請求項１記載の写真印刷物。
【請求項３】
前記両面の写真の印刷位置のずれは、１００μｍ以下であることを特徴とする請求項１又は２記載の写真印刷物。
【請求項４】
ＩＳＯ５シリーズで規定される透過濃度が４．０以上である部分を有することを特徴とする請求項１、２又は３に記載の写真印刷物。
【請求項５】
デジタルデータである写真データをデジタル印刷機の入力部に入力し、
当該デジタル印刷機により、半透明のシートの両面に当該写真データに基づいて同一の写真を同一の大きさであって且つ透視した際に完全に重なる向きに印刷することで写真印刷物を制作し、
制作された写真印刷物を両側から光が入る状態で展示することを特徴とする写真展示方法。
【請求項６】
前記シートの印刷前の不透明度は、６０％以上７０％以下であることを特徴とする請求項５記載の写真展示方法。
【請求項７】
前記両面の写真の印刷位置のずれは、１００μｍ以下であることを特徴とする請求項５又は６記載の写真展示方法。
【請求項８】
前記写真印刷物は、ＩＳＯ５シリーズで規定される透過濃度が４．０以上である部分を有することを特徴とする請求項５、６又は７に記載の写真展示方法。
【請求項９】
前記写真印刷物を透明な板に貼り付けた状態で展示することを特徴とする請求項５乃至８いずれかに記載の写真展示方法。
【請求項１０】
請求項５乃至９いずれかに記載の写真展示方法に使用されるボックスであって、内部に照明器具を備えており、前記写真印刷物が装着される前面を有していることを特徴とするボックス。
【発明の詳細な説明】
【技術分野】
【０００１】
この出願の発明は、デジタル印刷により写真を印刷した写真印刷物に関するものである。
【背景技術】
【０００２】
印刷技術の進歩により、写真印刷においても、高画質・高精細で写真を印刷することができるようになってきている。
【先行技術文献】
【特許文献】
【０００３】
【特許文献１】特開2006-095781号公報
【特許文献２】特開2001-121865号公報
【発明の概要】
【発明が解決しようとする課題】
【０００４】
しかしながら、二次元的な審美性の範囲で画質が高められているのにとどまり、三次元的な、即ち銀塩写真におけるカラーポジフィルムが持っていたような奥行き感のあるデジタル印刷技術は今のところ開発されていない。
本願の発明は、上記のような状況を考慮して為されたものであり、平面的な印刷でありながらポジフィルム的な奥行き感のある優れた写真印刷物を提供することを目的とする。
【課題を解決するための手段】
【０００５】
上記課題を解決するため、この出願の請求項１記載の発明は、半透明のシートの両面に同一の写真を同一の大きさでデジタル印刷機により印刷した写真印刷物であって、
両面の写真は、透視した際に完全に重なる向きに印刷されているという構成を有する。
また、上記課題を解決するため、請求項２記載の発明は、前記請求項１の構成において、前記シートの印刷前の不透明度は、６０％以上７０％以下であるという構成を有する。
また、上記課題を解決するため、請求項３記載の発明は、前記請求項１又は２の構成において、前記両面の写真の印刷位置のずれは、１００μｍ以下であるという構成を有する。
また、上記課題を解決するため、請求項４記載の発明は、前記請求項１、２又は３の構成において、ＩＳＯ５シリーズで規定される透過濃度が４．０以上である部分を有するという構成を有する。
上記課題を解決するため、この出願の請求項５記載の発明は、デジタルデータである写真データをデジタル印刷機の入力部に入力し、
当該デジタル印刷機により、半透明のシートの両面に当該写真データに基づいて同一の写真を同一の大きさであって且つ透視した際に完全に重なる向きに印刷することで写真印刷物を制作し、
制作された写真印刷物を両側から光が入る状態で展示するという写真展示方法の発明である。
また、上記課題を解決するため、請求項６記載の発明は、前記請求項５の構成において、前記シートの印刷前の不透明度は、６０％以上７０％以下であるという構成を有する。
また、上記課題を解決するため、請求項７記載の発明は、前記請求項５又は６の構成において、前記両面の写真の印刷位置のずれは、１００μｍ以下であるこという構成を有する。
また、上記課を題解決するため、請求項８記載の発明は、前記請求項５、６又は７の構成において、前記写真印刷物は、ＩＳＯ５シリーズで規定される透過濃度が４．０以上である部分を有するという構成を有する。
また、上記課題を解決するため、請求項９記載の発明は、請求項５乃至８いずれかの構成において、前記写真印刷物を透明な板に貼り付けた状態で展示するという構成を有する。
また、上記課題を解決するため、請求項１０記載の発明は、請求項５乃至９いずれかに記載の写真展示方法に使用されるボックスであって、内部に照明器具を備えており、前記写真印刷物が装着される前面を有しているという構成を有する。
【発明の効果】
【０００６】
以下に説明する通り、この出願の請求項１記載の発明によれば、平面的な印刷でありながらカラーポジフィルム的な奥行き感のある鮮烈な印象を視る者に与える写真印刷物が提供される。
また、請求項２記載の発明によれば、シートの不透明度が６０％以上７０％以下であるので、より強い照明で背後から照明をしたり、シートの厚さを薄くしたりする必要がなく、この点でより好適なものとなる。
また、請求項３記載の発明によれば、両側の写真の印刷位置のずれが１００μｍ以下であるので、写真のシャープネスを低下させずに上記効果を得ることができる。
また、請求項４記載の発明によれば、ＩＳＯ５シリーズで規定される透過濃度が４．０以上である部分を有するので、カラーポジフィルム的な奥行き感を与える効果がより高められる。
【図面の簡単な説明】
【０００７】
【図１】本願発明の実施形態の写真印刷物の斜視概略図である。
【図２】実施形態の写真印刷物の制作のためにシート１の両面にデジタル印刷機により印刷を行う状態を示した概略図である。
【図３】実施形態の写真印刷物における透かし多重印刷の効果について示した概略図である。
【発明を実施するための形態】
【０００８】
次に、この出願の発明を実施するための形態（実施形態）について説明する。
図１は、実施形態の写真印刷物の斜視概略図である。この写真印刷物は、半透明のシート１の両面に同一の写真２１，２２を同一の大きさで印刷した印刷物である。図１において、（Ａ）と（Ｂ）は、互いに逆の方から見た斜視概略図である。
【０００９】
尚、写真２１，２２は、シート１よりも少し小さい大きさで印刷されており、シートの両側の面の縁には少しマージン（印刷されていない領域）がある。但し、マージンをゼロとすることも可能である。
【００１０】
まず、半透明のシート１について説明する。実施形態において、シート１は、薄白色で適度な不透明度を有するものである。不透明度は、６０〜７０％程度であることが好ましい。不透明度は透過率の逆であるので、これは、可視域の波長における平均の透過率が３０〜４０％程度であることを意味する。
【００１１】
シート１の材質は、上記不透明度に加え、必要な耐久性と強度を有していれば、任意のものを採用し得るが、この実施形態では合成紙が使用されている。例えば、ポリプロピレン系の合成紙が好適に使用され得る。
【００１２】
より具体的な一例を示すと、シート１には、ポリプロピレン系二軸延伸式フィルム法合成紙が好適に使用できる。厚さは、上記不透明度の達成する範囲で任意であるが、１４２μｍ〜１５８μｍ程度とすることが好ましい。このような合成紙は、例えば、株式会社ユポ・コーポレーションからユポ電飾用紙として販売されており（「ユポ」は同社の登録商標）、適宜のものを選択して使用することができる。
【００１３】
次に、印刷された写真２１，２２について説明する。
前述したように、シート１の両面には同一の写真２１，２２が同一の大きさで印刷される。この実施形態では、後述するように写真２１，２２はデジタル印刷により印刷されるので、「同一の写真」とは、同一の写真データ（イメージデータ）により印刷されるという意味である。したがって、「同一の大きさ」とは、同一の拡縮（拡大又は縮小の倍率）で印刷されるという意味である。
【００１４】
さらに、両面の写真２１，２２は、たてよこの向きにおいて同じ向きに印刷されており、且つ同じ位置に印刷されている。したがって、両面の写真２１，２２は、透視した際に完全に重なる状態で視認される。「透視した際に完全に重なる状態」とは、人間の目で視た際に、両側の写真２１，２２がずれた状態では視認されないという意味である。物理的に完全に重なる、即ちズレがゼロということはあり得ない。両面の写真２１，２２の印刷位置のズレは、どんなに高性能の印刷機を使用しても発生する。しかし、そのズレが人間の目で視たときに認識されなければ良い。この意味で、印刷位置のズレは±１００μｍ以下とすることが好ましく、±５０μｍ以下とすることがより好ましい。
【００１５】
このような印刷を行う印刷機（デジタル印刷機）について、図２を参照して説明する。図２は、実施形態の写真印刷物の制作のためにシート１の両面にデジタル印刷機により印刷を行う状態を示した概略図である。
【００１６】
前述したように、実施形態における写真２１，２２の印刷には、±１００μｍ以下、より好ましくは±５０μｍ以下の位置精度が要求される。このように高い位置精度で印刷が行えるデジタル印刷機は、高級機種ということになってくるが、例えば、オランダに本社のあるXeikon N.V.社（Brieversstraat 70 4529 GZ Eede, Netherlands)からＸＥＩＫＯＮのブランド名で販売されているデジタルカラー印刷機が該当する。より具体的には、ＸＥＩＫＯＮ５０００ｐｌｕｓ等を好適に使用することができる。尚、ＸＥＩＫＯＮの印刷機は、日本では、Xeikon N.V.社の日本法人であるザイコンジャパン株式会社（東京都文京区）を通じて購入することができる。
【００１７】
実施形態の写真印刷物の制作に使用されるデジタル印刷機３は、図２に示すように、ロール方式の印刷物となっている。つまり、シート１はロール状に巻かれており（以下、シートロールという。）、引き出されて印刷位置において印刷がされる機構となっている。
【００１８】
より具体的に説明すると、図２に示すように、デジタル印刷機３は、シート１に対して印刷を行う印刷ユニット３１と、シートロール１１を搭載するロール搭載部３２と、印刷が行われたシート１を切断する裁断部３４と、ロール搭載部３２からシート１を引き出して印刷ユニット３１に供給した後、裁断部まで搬送するシート１搬送系３３と、印刷するパターンのデータを入力するデータ入力部３５と、データ入力部３５に入力されたデータに従って印刷ユニット３１等を制御する制御ユニット３６とを備えている。
【００１９】
このデジタル印刷機３は、乾式電子写真方式で印刷を行うものとなっており、印刷ユニット３１は、感光体ドラム、露光光源、トナー供給部、現像部等を備えている。本実施形態のデジタル印刷機３は、シート１の両面に同時にカラー印刷を行うため、シート１３の搬送ラインの両側に各色の印刷ユニット３１を設けた構成となっている。各印刷ユニット３１では、その色の印刷パターンに応じて感光体を帯電させてトナーを付着させ、そのトナーが付着した面にシート１が圧接されながら搬送されるようにして印刷が行われる。
【００２０】
印刷ユニット３の下流側には、トナーの定着を行う定着ユニット３７が設けられている。定着ユニット３７は、ヒータの熱によりトナーの定着を行うものである。その他、定着後にシート１３の冷却を行う冷却ユニットが設けられている。
シート１搬送系３３は、シート１の搬送ラインに沿って多数のローラ３３１を設けた構成となっている。多数のローラ３３１のうちの少なくとも一つは駆動ローラ３３２と圧力ローラ３３３であり、シート１を挟んで引っ張ることで搬送を行うものである。
また、ガイドローラ３３１のうちの幾つかは、調湿ユニット３８に設けられたものとなっている。調湿ユニット３８は、シート１３を印刷に先立って加熱することでその湿り気を調節するユニットである。
【００２１】
図２のデジタル印刷機３を使用して写真印刷物の制作を行う場合、写真データが予め準備され、データ入力部３５に入力される。写真データは、カメラマンがカメラ（通常はデジタルカメラ）で撮影したデータである。カメラマンは、プロアマを問わない。
【００２２】
尚、写真データは、文字通りの意味で写真２１，２２のデータである。写真データは、JPEGやBMPといった汎用イメージデータの形式であり得るが、それでも、そのデータは、デジタルカメラで撮影したデータか、又はアナログカメラで撮影したデータをデジタル化したものということになる。つまり、グラフィックソフトウェアで全て作成したイメージデータは、写真データではない。写真データをグラフィックソフトウェアで加工してもそれは写真データであるが、全てグラフィックソフトウェアで作成したイメージデータは、元になる写真データが存在しないので、写真データではない。言い換えると、現実に存在する物を写し撮ったデジタルデータであり、それが存在しない場合は写真データではない。
【００２３】
デジタル印刷機３を使用して印刷を行う場合、作業者は、各種印刷条件をデータ入力部３５に予め入力する。この中には、両面での印刷位置、印刷の向きの入力が含まれるが、上記の通り同じ位置、同じ向きの印刷となるよう入力を行う。
【００２４】
機械の動作が開始されると、シート１搬送系が所定の速度でシート１を送る。この例のデジタル印刷機３は、各色の印刷ユニット３１が上下に並んでおり、シート１は上下方向（例えば下から上）に搬送されながら、両面にカラー印刷がされる。図２に示すように、一方の側の面に各色の印刷を行う各印刷ユニット３１と、他方の側の面に各色印刷を行う各印刷ユニット３１とは、少し上下にずれて配置されている。各印刷ユニット３１により印刷が行われ、定着ユニット３７によりインクが定着すると、シート１の当該印刷箇所は、裁断部３４に送られ、所定の位置で裁断が行われる。これにより、実施形態の写真印刷物の制作が完了する。
【００２５】
このようにして制作される実施形態の写真印刷物は、半透明のシート１の両面に同じ写真２１，２２が同じ位置、同じ大きさ、同じ向き（完全に重なる向き）に印刷されているので、透かし多重印刷の効果で、カラーポジフィルム的な奥行き感のある鮮烈な写真印刷物となる。この点について、図３を参照して説明する。図３は、実施形態の写真印刷物における透かし多重印刷の効果について示した概略図である。
【００２６】
透かし多重印刷の語は、新規な造語であって、この明細書において初めて使用される用語である。透かし多重印刷は、平面的な印刷であっても、カラーポジフィルムが持っていたような奥行き感のある美しい写真２１，２２の印刷をデジタル印刷において行うことができないだろうかという課題の下、発明者が鋭意研究を行った結果、想到した印刷技術である。
【００２７】
図３は、透かし多重印刷の効果を説明するため、両面の写真２１，２２を実際より離して描いており、模式的に表現している。実施形態の写真印刷物では、表、裏というのは特にないが、便宜上、図３において、写真印刷物を視る人の目ｅがある側を表側とし、これとは反対側を裏側とする。
【００２８】
図３に示すように、実施形態の写真印刷物を目ｅで視た場合、目ｅは表側の写真２１を捉える他、シート１が半透明であるため、裏側に印刷されている写真２２も捉える。この際、両側の写真２１，２２は、位置精度±１００μｍ以下という精度で位置が一致しているため、ずれたものとして視認されることはなく、一つの写真として人間の視角認識系は判断する。その一方で、人間の目ｅに入ってくる光線は、表側の写真２１からの光線と裏側の写真２２からの光線との双方であるため、奥行きを持った印象即ち立体感が視角認識に追加される状態となる。
【００２９】
特に、濃淡の境界部分（コントラストの部分）では、コントラストがより強調され、奥行き感のある鮮烈な視感を与える。この現象（効果）のより詳しい原因については不明であるが、発明者が、写真を片面にのみ印刷した写真印刷物と両面に印刷した実施形態の写真印刷物とを比べたところ、顕著な現象として確認された。
【００３０】
このような透かし多重印刷の効果は、写真だからこそ得られるものであると考えられる。つまり、写真というのは、現実にある物を写し撮ったイメージ図であるから、人間は、それを前提にそのイメージを視る。写真は、被写体が風景であったり人物であったりするが、いずれにしても被写体は奥行きを有するものである。奥行きを有するものであることを脳が前提として了解しなから表裏からの光線を目で捉えるため、脳での認識も奥行き感のあるものとなると考えられる。
【００３１】
いずれにしても、実施形態の写真印刷物は、薄白色の半透明シート１の両面に同じ写真２１，２２を同じ位置に完全に重なる向きで印刷しているため、奥行き感のある鮮烈な視感を視る者に与える。このため、例えばプロのカメラマンが撮った写真を展示会で展示するといった用途に特に好ましいものとなる。この他、結婚式用の記念写真、お葬式用の遺影写真等でも好適に利用できるし、さらに観光地のＰＲ用ポスター写真（観光地の風景写真）の用途にも好適に利用できる。
【００３２】
このような実施形態の写真印刷物は、裏側の写真２２がシート１を通して認識されることを利用しているため、裏側から光が入る状態で鑑賞するとより効果が高くなる。単に太陽や部屋の明かりにかざすだけでも良いが、背後から照明される状態で展示するとより効果的である。即ち、内部に照明器具を備えたボックス状のものを用意し、その前面に写真印刷物を装着して背後から照明した状態として鑑賞するとより好適である。写真印刷物を透明な板に張り付け、背後から照明する構成であっても良い。
【００３３】
また、上述した透かし多重印刷の効果は、よりコントラストの高い写真を印刷した場合に顕著である。表と裏の双方からの光線を捉えることによる効果が、高コントラストの（光線の量の違いが大きい）写真の方がより強調されるからである。この場合のコントラストは、オリジナルの写真が持っているコントラストであり、実施形態で言えば、写真２１，２２のデータにおけるコントラストということになる。より具体的には、ＩＳＯ５シリーズで規定される透過濃度が４．０以上となる部分を持つ写真データについて写真２１，２２と印刷すると、ポジフィルムが持っていたような奥行き感がさらに強調されるので、より好適である。
【００３４】
尚、「半透明」の一般的な定義は特にないが、不透明度が２０〜８０％であれば「半透明」ということができ、実施可能である。このうち、実施形態のシートは６０〜７０％の不透明度であると説明したが、不透明度７０％を越えていても、裏側からの照明を強くする等の方法により透かし多重印刷の効果を得ることができるので、実施は可能である。この意味で、不透明度が７０％以下である構成は、裏側からの照明を特に強くしなくても良いという効果がある。
【００３５】
また、不透明度が６０％未満になってくると、表裏の写真２１，２２のずれが視認され易くなるが、この場合は、シート１の厚さを薄くすることで対応が可能である。シート１の厚さを薄くすると、シート１の耐久性や強度が低下してしまう場合が多い。この意味で、不透明度が６０％以上というのは、シート１の耐久性が強度を確保し易いという意義がある。
【００３６】
また、印刷位置の精度は±１００μｍ以下が好ましいと説明したが、位置精度がこれよりも多少低くても実施が可能である。印刷位置の精度が低い場合、表裏の写真２１，２２のずれが視認され易くなるので、写真のシャープネスを少し下げ、少しぼかした状態で印刷することで対応が可能である。この場合は、写真データを予め加工し、シャープネスを下げたデータとしておく。この意味で、印刷位置の精度±１００μｍ以下である構成は、シャープネスを損なうことなく印刷が可能であり、この意味で好ましい。印刷位置の精度±５０μｍ以下であると、この効果がさらに高められるので、より好ましい。
【００３７】
尚、上記実施形態では、シート１は、薄白色の半透明であったが、乳白色の半透明でも良く、多少青みがかっていたり、薄緑であったりしても良い。ただ、写真の色調に影響を与えないという意味では、白系（乳白色、薄いグレー）の方が好ましい。
【００３８】
また、シート１の材質としては、ＰＥＴのようなポリエチレン系の合成紙でも良く、ポリスチレン系の合成紙が採用されることもあり得る。また、適切な不透明度や耐久性を有していれば、パルプ紙のような天然由来の材質のものを使用しても良く、表面にコーティングをして耐久性を高めたり、適度な不透明度を付与したりしたもの等が採用されることもあり得る。
【００３９】
尚、デジタル印刷機としては、必要な印刷位置精度を達成でき、両面にカラー印刷ができるものであれば、前述した例以外のものを使用することができる。また、印刷の方式についても、レーザー等による乾式の他、インクジェットのような湿式の印刷を行うデジタル印刷機であっても良い。また、シート１を一枚ずつ送って印刷する枚葉式のデジタル印刷機が使われる場合もある。ロース式の場合でも、印刷済みものをいったんロール状に巻き取り、別の場所に持っていって裁断するロールツーロール式のデジタル印刷機が使用されることもある。
【００４０】
また、デジタル印刷機の解像度については説明を省略したが、上述したように実施形態の写真印刷物はより高級感のある印刷物となるため、高い解像度を達成する印刷機を使用することが好ましい。例えば、６００ｄｐｉ以上の解像度を達成する印刷機を使用することが好ましい。
【符号の説明】
【００４１】
１  シート
２１  表側の写真
２２  裏側の写真
３  デジタル印刷機
【図１】
2020075473.tif 000003
【図２】
2020075473.tif 000004
【図３】
2020075473.tif 000005
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
不透明度が６０％以上７０％以下の半透明のシートの両面に同一の写真を同一の大きさでデジタル印刷機により同時に印刷した写真印刷物であって、
前記半透明のシートの厚さは１４２μｍ以上１５８μｍ以下であり、
両面の写真（両側で光沢性が異なるものを除く）は、透視した際に完全に重なる向きに印刷されていて両面の写真の印刷位置のずれは０より大きく１００μｍ以下であり、
前記半透明のシートは、一方の側の面から入射して反対側の面の写真に反射して一方の側の面から出射する光を遮蔽しないものであることを特徴とする写真印刷物。
【請求項２】
前記両面の写真の印刷位置のずれは、０より大きく５０μｍ以下であることを特徴とする請求項１記載の写真鑑賞方法。
【請求項３】
ＩＳＯ５シリーズで規定される透過濃度が４．０以上である部分を有することを特徴とする請求項１又は２に記載の写真印刷物。
【請求項４】
デジタルデータである写真データをデジタル印刷機の入力部に入力し、
当該デジタル印刷機により、不透明度が６０％以上７０％以下の半透明のシートの両面に当該写真データに基づいて同一の写真（両側で光沢性が異なるものを除く）を同一の大きさであって且つ透視した際に完全に重なる向きに同時に印刷することで写真印刷物を制作し、
制作された写真印刷物を両側から同時に光が入る状態で展示する写真展示方法であり、
前記半透明のシートの厚さは１４２μｍ以上１５８μｍ以下であり、
両面の写真の印刷位置のずれは０より大きく１００μｍ以下であり、
前記半透明のシートは、一方の側の面から入射して反対側の面の写真に反射して一方の側の面から出射する光を遮蔽しないものであることを特徴とする写真展示方法。
【請求項５】
前記両面の写真の印刷位置のずれは、０より大きく５０μｍ以下であることを特徴とする請求項４記載の写真展示方法。
【請求項６】
前記写真印刷物は、ＩＳＯ５シリーズで規定される透過濃度が４．０以上である部分を有することを特徴とする請求項４又は５に記載の写真展示方法。
【請求項７】
前記写真印刷物を透明な板に貼り付けた状態で展示することを特徴とする請求項４乃至６いずれかに記載の写真展示方法。
【請求項８】
請求項４乃至７いずれかに記載の写真展示方法に使用されるボックスであって、内部に照明器具を備えており、前記写真印刷物が装着される前面を有していることを特徴とするボックス。
【手続補正２】
【補正対象書類名】明細書
【補正対象項目名】０００５
【補正方法】変更
【補正の内容】
【０００５】
上記課題を解決するため、この出願の請求項１記載の発明は、不透明度が６０％以上７０％以下の半透明のシートの両面に同一の写真を同一の大きさでデジタル印刷機により同時に印刷した写真印刷物であって、
前記半透明のシートの厚さは１４２μｍ以上１５８μｍ以下であり、
両面の写真（両側で光沢性が異なるものを除く）は、透視した際に完全に重なる向きに印刷されていて両面の写真の印刷位置のずれは０より大きく１００μｍ以下であり、
前記半透明のシートは、一方の側の面から入射して反対側の面の写真に反射して一方の側の面から出射する光を遮蔽しないものであるという構成を有する。
また、上記課題を解決するため、請求項２記載の発明は、前記請求項１の構成において、前記両面の写真の印刷位置のずれは、０より大きく５０μｍ以下であるという構成を有する。
また、上記課題を解決するため、請求項３記載の発明は、前記請求項１又は２の構成においてＩＳＯ５シリーズで規定される透過濃度が４．０以上である部分を有するという構成を有する。
上記課題を解決するため、この出願の請求項４記載の発明は、デジタルデータである写真データをデジタル印刷機の入力部に入力し、
当該デジタル印刷機により、不透明度が６０％以上７０％以下の半透明のシートの両面に当該写真データに基づいて同一の写真（両側で光沢性が異なるものを除く）を同一の大きさであって且つ透視した際に完全に重なる向きに同時に印刷することで写真印刷物を制作し、
制作された写真印刷物を両側から同時に光が入る状態で展示する写真展示方法であり、
前記半透明のシートの厚さは１４２μｍ以上１５８μｍ以下であり、
両面の写真の印刷位置のずれは０より大きく１００μｍ以下であり、
前記半透明のシートは、一方の側の面から入射して反対側の面の写真に反射して一方の側の面から出射する光を遮蔽しないものであるという写真展示方法の発明である。
また、上記課題を解決するため、請求項５記載の発明は、前記請求項４の構成において、前記両面の写真の印刷位置のずれは、０より大きく５０μｍ以下であるという構成を有する。
また、上記課題を解決するため、請求項６記載の発明は、前記請求項４又は５の構成において、前記写真印刷物は、ＩＳＯ５シリーズで規定される透過濃度が４．０以上である部分を有するという構成を有する。
また、上記課題を解決するため、請求項７記載の発明は、請求項４乃至６いずれかの構成において、前記写真印刷物を透明な板に貼り付けた状態で展示するという構成を有する。
また、上記課題を解決するため、請求項８記載の発明は、請求項４乃至７いずれかに記載の写真展示方法に使用されるボックスであって、内部に照明器具を備えており、前記写真印刷物が装着される前面を有しているという構成を有する。
【手続補正３】
【補正対象書類名】明細書
【補正対象項目名】０００６
【補正方法】変更
【補正の内容】
【０００６】
以下に説明する通り、この出願の請求項１記載の発明によれば、平面的な印刷でありながらカラーポジフィルム的な奥行き感のある鮮烈な印象を視る者に与える写真印刷物が提供される。
また、シートの不透明度が６０％以上７０％以下であるので、より強い照明で背後から照明をしたり、シートの厚さを薄くしたりする必要がなく、この点でより好適なものとなる。
さらに、両側の写真の印刷位置のずれが１００μｍ以下であるので、写真のシャープネスを低下させずに上記効果を得ることができる。
また、請求項３記載の発明によれば、ＩＳＯ５シリーズで規定される透過濃度が４．０以上である部分を有するので、カラーポジフィルム的な奥行き感を与える効果がより高められる。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
一つの写真についてのデジタル写真データであって広告ではないデジタル写真データを印刷された写真として展示する非広告デジタル写真データ展示方法であって、
当該デジタル写真データにより当該一つの同じ写真がシートの両面に同じ位置で同一の大きさで且つ透視した際に完全に重なる向きに印刷されるよう当該デジタル写真データ及び印刷条件を６００ｄｐｉ以上の解像度を有するデジタル印刷機のデータ入力部に入力する入力ステップと、
当該デジタル印刷機を使用し、不透明度が６０％以上７０％以下の半透明であって厚さが１４２μｍ以上１５８μｍ以下であるシートの両面に当該一つの同じ写真を同じ位置で同一の大きさで且つ透視した際に完全に重なる向きに６００ｄｐｉ以上の解像度で印刷して写真印刷物を得る印刷ステップと、
印刷ステップにおいて得られた写真印刷物に対しシートの両側から光が入射する状態で当該写真印刷物を展示する展示ステップとを含んでおり、
印刷ステップにおける前記両面の写真（両側で光沢性が異なるものを除く）の印刷位置のずれは０より大きく１００μｍ以下であり、
前記半透明のシートは、一方の側の面から入射して反対側の面の写真に反射して一方の側の面から出射する光を遮蔽しないものであり、
前記写真印刷物は、ＩＳＯ５シリーズで規定される透過濃度が４．０以上である部分を有することを特徴とする非広告デジタル写真データ展示方法。
【請求項２】
前記両面の写真の印刷位置のずれは、０より大きく５０μｍ以下であることを特徴とする請求項１記載の非広告デジタル写真データ展示方法。
【請求項３】
前記写真印刷物を透明な板に貼り付けた状態で展示することを特徴とする請求項１又は２に記載の非広告デジタル写真データ展示方法。
【請求項４】
請求項１乃至３いずれかに記載の非広告デジタル写真データ展示方法に使用されるボックスであって、内部に照明器具を備えており、前記写真印刷物が装着される前面を有していることを特徴とするボックス。
【手続補正３】
【補正対象書類名】明細書
【補正対象項目名】０００５
【補正方法】変更
【補正の内容】
【０００５】
上記課題を解決するため、この出願の請求項１記載の発明は、一つの写真についてのデジタル写真データであって広告ではないデジタル写真データを印刷された写真として展示する非広告デジタル写真データ展示方法であって、
当該デジタル写真データにより当該一つの同じ写真がシートの両面に同じ位置で同一の大きさで且つ透視した際に完全に重なる向きに印刷されるよう当該デジタル写真データ及び印刷条件を６００ｄｐｉ以上の解像度を有するデジタル印刷機のデータ入力部に入力する入力ステップと、
当該デジタル印刷機を使用し、不透明度が６０％以上７０％以下の半透明であって厚さが１４２μｍ以上１５８μｍ以下であるシートの両面に当該一つの同じ写真を同じ位置で同一の大きさで且つ透視した際に完全に重なる向きに６００ｄｐｉ以上の解像度で印刷して写真印刷物を得る印刷ステップと、
印刷ステップにおいて得られた写真印刷物に対しシートの両側から光が入射する状態で当該写真印刷物を展示する展示ステップとを含んでおり、
印刷ステップにおける前記両面の写真（両側で光沢性が異なるものを除く）の印刷位置のずれは０より大きく１００μｍ以下であり、
前記半透明のシートは、一方の側の面から入射して反対側の面の写真に反射して一方の側の面から出射する光を遮蔽しないものであり、
前記写真印刷物は、ＩＳＯ５シリーズで規定される透過濃度が４．０以上である部分を有する。
また、上記課題を解決するため、請求項２記載の発明は、前記請求項１の構成において、前記両面の写真の印刷位置のずれは、０より大きく５０μｍ以下であるという構成を有する。
また、上記課題を解決するため、請求項３記載の発明は、請求項１又は２の構成において、前記写真印刷物を透明な板に貼り付けた状態で展示するという構成を有する。
また、上記課題を解決するため、請求項４記載の発明は、請求項１乃至３いずれかに記載の非広告デジタル写真データ展示方法に使用されるボックスであって、内部に照明器具を備えており、前記写真印刷物が装着される前面を有しているという構成を有する。
【手続補正４】
【補正対象書類名】明細書
【補正対象項目名】０００６
【補正方法】変更
【補正の内容】
【０００６】
以下に説明する通り、この出願の請求項１記載の発明によれば、平面的な印刷でありながらカラーポジフィルム的な奥行き感のある鮮烈な印象を視る者に与える状態で非広告デジタル写真データによる写真印刷物が展示される。
また、シートの不透明度が６０％以上７０％以下であるので、より強い照明で背後から照明をしたり、シートの厚さを薄くしたりする必要がなく、この点でより好適なものとなる。
さらに、両側の写真の印刷位置のずれが１００μｍ以下であるので、写真のシャープネスを低下させずに上記効果を得ることができる。
また、ＩＳＯ５シリーズで規定される透過濃度が４．０以上である部分を有するので、カラーポジフィルム的な奥行き感を与える効果がより高められる。
【手続補正５】
【補正対象書類名】明細書
【補正対象項目名】００３５
【補正方法】変更
【補正の内容】
【００３５】
また、不透明度が６０％未満になってくると、表裏の写真２１，２２のずれが視認され易くなるが、この場合は、シート１の厚さを薄くすることで対応が可能である。シート１の厚さを薄くすると、シート１の耐久性や強度が低下してしまう場合が多い。この意味で、不透明度が６０％以上というのは、シート１の耐久性や強度を確保し易いという意義がある。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
一つの写真についてのデジタル写真データであって広告ではないデジタル写真データを印刷された写真として展示する非広告デジタル写真データ展示方法であって、
当該デジタル写真データにより当該一つの同じ写真がシートの両面に同じ位置で同一の大きさで且つ透視した際に完全に重なる向きに印刷されるよう当該デジタル写真データ及び印刷条件を６００ｄｐｉ以上の解像度を有するデジタル印刷機のデータ入力部に入力する入力ステップと、
当該デジタル印刷機を使用し、不透明度が６０％以上７０％以下の半透明であって厚さが１４２μｍ以上１５８μｍ以下であるシートの両面に当該一つの同じ写真を同じ位置で同一の大きさで且つ透視した際に完全に重なる向きに６００ｄｐｉ以上の解像度で印刷して写真印刷物を得る印刷ステップと、
印刷ステップにおいて得られた写真印刷物に対しシートの両側から光が入射する状態で当該写真印刷物を展示する展示ステップとを含んでおり、
印刷ステップにおける前記両面の写真（両側で光沢性が異なるものを除く）の印刷位置のずれは０より大きく１００μｍ以下であり、
前記半透明のシートは、一方の側の面から入射して反対側の面の写真に反射して一方の側の面から出射する光を遮蔽しないものであり、
前記写真印刷物は、ＩＳＯ５シリーズで規定される透過濃度が４．０以上である部分を有することを特徴とする非広告デジタル写真データ展示方法。
【請求項２】
前記両面の写真の印刷位置のずれは、０より大きく５０μｍ以下であることを特徴とする請求項１記載の非広告デジタル写真データ展示方法。
【請求項３】
前記写真印刷物を透明な板に貼り付けた状態で展示することを特徴とする請求項１又は２に記載の非広告デジタル写真データ展示方法。
【手続補正３】
【補正対象書類名】明細書
【補正対象項目名】０００５
【補正方法】変更
【補正の内容】
【０００５】
上記課題を解決するため、この出願の請求項１記載の発明は、一つの写真についてのデジタル写真データであって広告ではないデジタル写真データを印刷された写真として展示する非広告デジタル写真データ展示方法であって、
当該デジタル写真データにより当該一つの同じ写真がシートの両面に同じ位置で同一の大きさで且つ透視した際に完全に重なる向きに印刷されるよう当該デジタル写真データ及び印刷条件を６００ｄｐｉ以上の解像度を有するデジタル印刷機のデータ入力部に入力する入力ステップと、
当該デジタル印刷機を使用し、不透明度が６０％以上７０％以下の半透明であって厚さが１４２μｍ以上１５８μｍ以下であるシートの両面に当該一つの同じ写真を同じ位置で同一の大きさで且つ透視した際に完全に重なる向きに６００ｄｐｉ以上の解像度で印刷して写真印刷物を得る印刷ステップと、
印刷ステップにおいて得られた写真印刷物に対しシートの両側から光が入射する状態で当該写真印刷物を展示する展示ステップとを含んでおり、
印刷ステップにおける前記両面の写真（両側で光沢性が異なるものを除く）の印刷位置のずれは０より大きく１００μｍ以下であり、
前記半透明のシートは、一方の側の面から入射して反対側の面の写真に反射して一方の側の面から出射する光を遮蔽しないものであり、
前記写真印刷物は、ＩＳＯ５シリーズで規定される透過濃度が４．０以上である部分を有する。
また、上記課題を解決するため、請求項２記載の発明は、前記請求項１の構成において、前記両面の写真の印刷位置のずれは、０より大きく５０μｍ以下であるという構成を有する。
また、上記課題を解決するため、請求項３記載の発明は、請求項１又は２の構成において、前記写真印刷物を透明な板に貼り付けた状態で展示するという構成を有する。